(57)【特許請求の範囲】
【請求項１】
垂直部分と前記垂直部分の下端部において当該垂直部分に対しほぼ直角に延びる水平部分とを有したフレームと、
フィルターエレメントを収容したフィルターケースと流入ポートおよび流出ポートが設けられて前記フィルターケースの一方の端部に配置された接続ブロックとを備え、前記接続ブロックが配管接続されることにより前記フレームの前記垂直部分に取り付けられた、複数のフィルターユニットからなるフィルターユニット群と、
前記フィルターユニット群に流体的に接続されて液体を流入させまたは流出させるための流入口および流出口と、を備え、
前記フレームは、前記垂直部分がほぼ鉛直状態である使用姿勢と、前記垂直部分がほぼ水平状態である後処理姿勢とに姿勢の変更が可能であり、
それぞれの前記フィルターユニットは、前記使用姿勢においては前記フィルターケースが前記接続ブロックを起点として斜め下方へ延びるように、かつ前記後処理姿勢においては前記フィルターケースが前記接続ブロックを起点として斜め上方へ延びるように、前記垂直部分に対して取り付けられてなる、
ことを特徴とする液体の濾過装置。
【請求項２】
前記フレームには、前記垂直部分の下端部の近辺にキャスターが設けられ、前記垂直部分の上端部にハンドルが設けられ、
前記使用姿勢においては、前記水平部分および前記キャスターが床面に接することにより前記フレームがその姿勢を維持することが可能であり、前記後処理姿勢においては、前記垂直部分および前記キャスターが床面に接することにより前記フレームがその姿勢を維持することが可能である、
請求項１記載の液体の濾過装置。
【請求項３】
前記フレームは、少なくともその一部が、前記流入ポートおよび前記流出ポートに接続されて液体の流路を形成するためのパイプからなる、
請求項１または２記載の液体の濾過装置。
【請求項４】
それぞれの前記フィルターユニットは、その軸心と前記垂直部分とのなす角度が３０〜６０度の範囲内となるように取り付けられてなる、
請求項１ないし３のいずれかに記載の液体の濾過装置。
【請求項５】
前記フィルターユニット群は、２つの前記フィルターユニットが並列接続されてなる、  請求項１ないし４のいずれかに記載の液体の濾過装置。
【請求項６】
前記フィルターユニット群は、２つの前記フィルターユニットが並列接続されてなる並列接続体を２つ有し、前記２つの並列接続体が直列接続されてなる、
請求項１ないし４のいずれかに記載の液体の濾過装置。
【請求項７】
前記フレームには、モータおよびポンプを備えたポンプ装置を着脱可能に取り付けるための取り付け部が設けられてなる、
請求項１ないし６のいずれかに記載の液体の濾過装置。
【発明の詳細な説明】
【技術分野】
【０００１】
本発明は、作動油、切削油、絶縁油などの油、その他の液体を濾過するための濾過装置に関する。
【背景技術】
【０００２】
従来より、種々の産業機械装置には油圧装置が用いられ、それらには油圧シリンダなどに作動油としての圧油を供給するための油圧ユニットが備えられている。油圧ユニットは、圧油を貯えるための油圧タンクを有する。
【０００３】
作動油は、使用によって汚れてくるので、定期的に作動油を濾過することにより不純物を除去するなどのメンテナンスを行う必要がある。
【０００４】
通常、このような作動油のメンテナンスは、油圧ユニットなどの設置してある現場に作業者が濾過装置を携行し、その現場で濾過作業を行う。したがって、これに用いられる濾過装置は携行性が重視される。
【０００５】
従来において、サービスカーに載せられるように小型に構成し、かつフィルターを交換できるようにした濾過装置が提案されている（特許文献１）。
【０００６】
特許文献１の装置によると、台座の上にパイプからなるコの字状のフレームが溶接で固定され、フレームの下面にキャスターが取り付けられる。手操作により移動させるのに便利とするため、フレームは低く形成される。台座上に、ペーパーフィルターからなる複数のフィルターおよびポンプが配置され、これらに吸込用パイプおよび吐出用パイプが接続されて構成される。
【０００７】
この濾過装置の使用に際しては、濾過装置を油圧タンクなどの液体タンクが設置された現場に携行し、そこで吸込用パイプおよび吐出用パイプを液体タンクに接続し、ポンプを運転して作動油などの液体を循環させる。液体が循環している間に、液体はフィルターによって濾過されてきれいになる。
【０００８】
また、キャスターを備えたボックスの内部にポンプおよびフィルターを配備して構成した移動式の濾過装置が提案されている（特許文献２）。
【先行技術文献】
【特許文献】
【０００９】
【特許文献１】特開平１０−９９６１３号公報
【特許文献２】特開２０００−２８８３１８号公報
【発明の概要】
【発明が解決しようとする課題】
【００１０】
上に述べた従来の濾過装置では、ポンプを停止して濾過作業を終えると、吸込用パイプおよび吐出用パイプを液体タンクから外し、濾過装置を他の現場または待機場所に移動させることとなる。
【００１１】
ところが、従来においては、濾過作業を終えると直ぐに吸込用パイプおよび吐出用パイプを液体タンクから外すので、液体タンク内の液体が濾過装置の内部、特にフィルター（フィルターユニット）の内部に残留し、液体タンク内の液体がそれだけ減少することになる。
【００１２】
したがって、濾過装置によるメンテナンスを行うたびごとに液体タンクの液体が減少するので、液体の補給作業を行う必要があり、その作業に労力を要し、かつ余分な液体が必要となる。また、濾過装置内に残留した液体は後で廃棄することとなってしまうので、それだけ資源が無駄になる。
【００１３】
また、従来の濾過装置では、濾過装置内に残留した液体を排出して液体タンクに戻すことが容易ではなく、特にメンテナンスが行われる現場では十分な作業スペースがないことが多いので、現場での液体の排出は行われないのが現状である。
【００１４】
本発明は、上述の問題に鑑みてなされたもので、濾過作業によってフィルターユニットの内部に溜まった液体を容易に排出することのできる濾過装置を提供することを目的とする。
【課題を解決するための手段】
【００１５】
本発明に係る一実施形態の濾過装置は、垂直部分と前記垂直部分の下端部において当該垂直部分に対しほぼ直角に延びる水平部分とを有したフレームと、フィルターエレメントを収容したフィルターケースと流入ポートおよび流出ポートが設けられて前記フィルターケースの一方の端部に配置された接続ブロックとを備え、前記接続ブロックが配管接続されることにより前記フレームの前記垂直部分に取り付けられた、複数のフィルターユニットからなるフィルターユニット群と、前記フィルターユニット群に流体的に接続されて液体を流入させまたは流出させるための流入口および流出口と、を備え、前記フレームは、前記垂直部分がほぼ鉛直状態である使用姿勢と、前記垂直部分がほぼ水平状態である後処理姿勢とに姿勢の変更が可能であり、それぞれの前記フィルターユニットは、前記使用姿勢においては前記フィルターケースが前記接続ブロックを起点として斜め下方へ延びるように、かつ前記後処理姿勢においては前記フィルターケースが前記接続ブロックを起点として斜め上方へ延びるように、前記垂直部分に対して取り付けられてなる。
【発明の効果】
【００１６】
本発明によると、濾過作業によってフィルターユニットの内部に溜まった液体を容易に排出することができる。
【図面の簡単な説明】
【００１７】
【図１】本実施形態の濾過装置の側面図である。
【図２】図１の濾過装置の正面図である。
【図３】図１の濾過装置を後処理姿勢に倒した状態を示す図である。
【図４】濾過装置の他の実施形態を説明するための図である。
【図５】濾過装置の他の実施形態を説明するための図である。
【図６】ポンプ装置を備えた濾過装置の実施形態を示す正面図である。
【図７】ポンプ装置の正面図および側面図である。
【図８】濾過装置の取り付け部を側面方向から見た断面図である。
【図９】濾過装置の取り付け部を正面方向から見た断面図である。
【図１０】濾過装置の流体回路図の例である。
【発明を実施するための形態】
【００１８】
〔濾過装置の特徴の概要〕
本実施形態に係る濾過装置の特徴は、垂直部分と垂直部分の下端部において当該垂直部分に対しほぼ直角に延びる水平部分とを有したフレームと、フィルターエレメントを収容したフィルターケースと流入ポートおよび流出ポートが設けられてフィルターケースの一方の端部に配置された接続ブロックとを備え、接続ブロックが配管接続されることによりフレームの垂直部分に取り付けられた、複数のフィルターユニットからなるフィルターユニット群と、フィルターユニット群に流体的に接続されて液体を流入させまたは流出させるための流入口および流出口と、を備え、フレームは、垂直部分がほぼ鉛直状態である使用姿勢と、垂直部分がほぼ水平状態である後処理姿勢とに姿勢の変更が可能であり、それぞれのフィルターユニットは、使用姿勢においてはフィルターケースが接続ブロックを起点として斜め下方へ延びるように、かつ後処理姿勢においてはフィルターケースが接続ブロックを起点として斜め上方へ延びるように、垂直部分に対して取り付けられてなる。
【００１９】
好ましくは、フレームには、垂直部分の下端部の近辺にキャスターが設けられ、垂直部分の上端部にハンドルが設けられ、使用姿勢においては、水平部分およびキャスターが床面に接することによりフレームがその姿勢を維持することが可能であり、後処理姿勢においては、垂直部分およびキャスターが床面に接することによりフレームがその姿勢を維持することが可能である。
【００２０】
フレームは、少なくともその一部が、流入ポートおよび流出ポートに接続されて液体の流路を形成するためのパイプからなる。
【００２１】
それぞれのフィルターユニットは、その軸心と垂直部分とのなす角度が３０〜６０度の範囲内となるように取り付けられてなる。
【００２２】
フィルターユニット群は、２つのフィルターユニットが並列接続されてなる。フィルターユニット群は、２つのフィルターユニットが並列接続されてなる並列接続体を２つ有し、２つの並列接続体が直列接続されてなる。
【００２３】
また、フレームには、モータおよびポンプを備えたポンプ装置を着脱可能に取り付けるための取り付け部が設けられてなる。
【００２４】
以下、本発明の実施形態の濾過装置１について、図１〜図１０を参照して説明する。なお、図１は図２における左側面図、図８は図９におけるＡ−Ａ線矢視断面図である。図４および図５は濾過装置の構造を簡略化して示したものであり、図４（Ａ）（Ｂ）および図５（Ａ）は正面図、図４（Ｃ）および図５（Ｂ）は側面図である。
〔実施形態の濾過装置１の構成〕
図１、図２に示すように、濾過装置１は、フレーム１１、フィルターユニット群１２、流入ホース１３、流出ホース１４、および取り付け部１５（１５ａ，１５ｂ）などから構成される。
【００２５】
フレーム１１は、主として金属製のパイプからなる。直線状のパイプ、および、直角にまたは鈍角に滑らかに折り曲げたパイプを管継ぎ手などを用いてつなぎ合わせて、フレーム１１が形成されている。
【００２６】
フレーム１１は、本体部２１、本体部２１の下方において本体部２１に対して直角方向にも延びるように接続されたスタンド部２２、および、本体部２１の上方において本体部２１に対して斜め方向にも延びるように接続されたハンドル部２３などを有する。
【００２７】
本体部２１は、本実施形態においては、フレーム１１の左右に配置された２つの直線部２１ａ，２１ｂを有する。一方の直線部２１ａは、ティー２１１ａ、パイプ部材２１２ａ、ティー２１３ａ、パイプ部材２１４ａ、およびティー２１５ａが、この順に互いに接続されてなる。他方の直線部２１ｂは、ティー２１１ｂ、パイプ部材２１２ｂ、ティー２１３ｂ、パイプ部材２１４ｂ、およびティー２１５ｂが、この順にネジまたは溶接などによって互いに接続されてなる。これら直線部２１ａ，２１ｂは、それぞれ、内部での液体の流通が可能である。
【００２８】
スタンド部２２は、本実施形態においては、左右の直線部２２１ａ，２２１ｂ、直線部２２１ａ，２２１ｂに対してそれぞれ直角方向に延びる左右の水平部２２２ａ，２２２ｂ、水平部２２２ａ，２２２ｂの先端部を互いに接続する水平直線部２２３を有する。
【００２９】
スタンド部２２は、一本のパイプを折り曲げることによって形成され、内部は中空であるが、その両端部において栓によって塞がれており、内部には液体が入らない。
【００３０】
ハンドル部２３は、本実施形態においては、左右の直線部２３１ａ，２３１ｂ、直線部２３１ａ，２３１ｂに対してそれぞれ斜め方向に延びる左右の斜め部２３２ａ，２３２ｂ、水平部２３２ａ，２３２ｂの先端部を互いに接続する水平直線部２３３を有する。
【００３１】
ハンドル部２３は、一本のパイプを折り曲げることによって形成され、内部は中空であるが、その両端部において栓によって塞がれており、内部には液体が入らない。
【００３２】
フレーム１１は、本体部２１、ハンドル部２３、およびスタンド部２２の一部によって垂直部分ＴＢが構成され、スタンド部２２の他の一部によって水平部分ＨＢが構成される。水平部分ＨＢは、垂直部分ＴＢ垂直部分の下端部において当該垂直部分ＴＢに対しほぼ直角に延びる。
【００３３】
フレーム１１には、垂直部分ＴＢの下端部の近辺、具体的にはスタンド部２２の直線部２２１ａ，２２１ｂと水平部２２２ａ，２２２ｂとの接続部分に、２つのキャスター１６が設けられる。
【００３４】
フレーム１１は、濾過装置１を濾過のために使用する使用姿勢ＳＳ（図１に示す状態）と、濾過が終わった後で濾過装置１内の液体を流出させて元に戻すための後処理姿勢ＡＳ（図３に示す状態）とに姿勢を変更することが可能である。
【００３５】
使用姿勢ＳＳにおいては、水平部分ＨＢおよびキャスター１６が床面ＦＬに接することにより、フレーム１１がその姿勢を維持することが可能である。後処理姿勢ＡＳにおいては、垂直部分ＴＢおよびキャスター１６が床面ＦＬに接することにより、フレーム１１がその姿勢を維持することが可能である。
【００３６】
なお、キャスター１６は、スタンド部２２に直接に取り付けられており、余計な突起物などがないので、濾過装置１の移動に際して周囲の物体と干渉することが少なく、狭い場所にも容易に移動することができる。
【００３７】
フレーム１１のティー２１３ａには流入ホース１３が配管接続され、ティー２１３ｂには流出ホース１４が配管接続される。
【００３８】
フレーム１１には、バー２４が取り付けられ、バー２４にはその左右の下方にレスト２５ａ，２５ｂが取り付けられている。また、バー２４の左右の上方にホースハンガー２６ａ，ｂが、スタンド部２２の左右にホースハンガー２６ｃ，ｄが、それぞれ取り付けられている。
【００３９】
また、フレーム１１のティー２１１ａ，ｂ、２１５ａ，ｂには、配管接続によってフィルターユニット群１２が取り付けられる。
【００４０】
つまり、直線部２１ａ，２１ｂは、フィルターユニット群１２、流入ホース１３、および流出ホース１４に流体的に接続され、液体の流路を形成する。このように、フレーム１１の一部が液体の流れる流路の一部を構成するので、それだけ配管材料の使用が低減され、軽量化が図られている。
【００４１】
フィルターユニット群１２は、本実施形態では４つのフィルターユニット３１，３２，３３，３４からなる。
【００４２】
フィルターユニット群１２は、２つのフィルターユニットが並列接続されてなる並列接続体を２つ有し、２つの並列接続体が直列接続されてなる。つまり、２つのフィルターユニット３１，３２、および他の２つのフィルターユニット３３，３４は、それぞれ同じメッシュのものが用いられ、それぞれが並列接続体を構成する。そして、並列接続体であるフィルターユニット３１，３２、およびフィルターユニット３３，３４は、互いに直列接続されて直列接続体を構成する。
【００４３】
本実施形態において、１段目のフィルターユニット３１，３２のメッシュは１０μｍであり、２段目のフィルターユニット３３，３４のメッシュは３μｍである。
【００４４】
このように、同じメッシュのフィルターユニット３１，３２および３３，３４を、それぞれ並列接続することにより、それぞれ１つの大型のフィルターユニットを用いた場合と比較して重量が軽くなる。つまり、通常、１つのフィルターユニットを用いた場合と、それと同じ流量（濾過面積）を得ることのできる２つのフィルターユニットの並列接続体とを比較すると、後者の方が軽量となる。本実施形態では大型のフィルターユニットを用いることなく、それと同じ流量を得るためにそれを２つに分割して小型のフィルターユニットの並列接続体とすることにより、軽量化を図っている。
【００４５】
なお、各フィルターユニット３１〜３４は、フィルターエレメント４１を収容したフィルターケース４２と、流入ポートＰＮおよび流出ポートＰＳが設けられてフィルターケース４２の一方の端部を塞ぐように配置された接続ブロック４３とを備える。つまり、接続ブロック４３の両端部には流入ポートＰＮおよび流出ポートＰＳが設けられており、これら流入ポートＰＮおよび流出ポートＰＳに、配管部材などが配管接続されることにより、フィルターユニット３１〜３４がフレーム１１のティー２１１ａ，ｂ、２１５ａ，ｂに取り付けられているとともに、流体的に接続されている。
【００４６】
図２に示す実施形態では、フィルターユニット３１，３３および３２，３４がそれぞれ直列に接続され、シャントパイプ３５によってフィルターユニット３１，３２および３３，３４がそれぞれ並列に接続されている。
【００４７】
各フィルターユニット３１〜３４は、互いに同じ姿勢で、フレーム１１に対して斜め方向の姿勢で取り付けられている。
【００４８】
すなわち、各フィルターユニット３１〜３４は、使用姿勢ＳＳにおいては、図１に示すようにフィルターケース４２が接続ブロック４３を起点として斜め下方へ延びるように、後処理姿勢においては、図３に示すようにフィルターケース４２が接続ブロック４３を起点として斜め上方へ延びるように、取り付けられている。
【００４９】
本実施形態においては、各フィルターユニット３１〜３４は、その軸心と垂直部分ＴＢ（特に直線部２１ａ，２１ｂ）とのなす角度αが４５度である。なお、この角度αは、４５度でなくても、例えば３０〜６０度程度の範囲内となるように取り付ければよい。
【００５０】
フィルターユニット３１〜３４を斜め方向に取り付けることにより、使用姿勢ＳＳにおいては、フィルターケース４２が接続ブロック４３よりも下方になるので、液体がフィルターケース４２内に流入して充満し、フィルターユニット３１〜３４が最も効率の良い状態で使用できる。また、後処理姿勢ＡＳにおいては、フィルターケース４２が接続ブロック４３よりも上方になるので、フィルターケース４２内の液体がその自重によって流出し、しばらくするとフィルターケース４２内の液体はほとんど流れ出して空になる。
【００５１】
また、液体ＭＬの濾過が終わった時点で、流入ホース５３（図１０を参照）を液体タンクＥＴから抜き出すことにより、ポンプＰＥは空気を送り出すことになる。このように送り出された空気の圧力によって、後処理姿勢ＡＳの状態のフィルターユニット３１〜３４の内部のみならず、直線部２１ａ，２１ｂその他の管路内に溜まった液体ＭＬが流出ホース１４から排出される。濾過装置１の内部の液体ＭＬのほとんどが排出されたら、モータＭを停止させればよい。
【００５２】
つまり、このように、濾過を終えた後で濾過装置１を後処理姿勢ＡＳとすることにより、フィルターケース４２内の液体を流出させて濾過を行った液体タンクに戻すことができる。そのとき、濾過装置１の配管内にあった液体も液体タンクに戻すことができる。なお、この場合に、液体ＭＬをできるだけ自重で排出させるために、濾過装置１を液体タンクの液面よりも高い位置としておくことが好ましい。
【００５３】
流入ホース１３は、一端部が上に述べたようにティー２１３ａに接続され、ホースハンガー２６ａ〜ｄを利用して巻き付けて保持され、他端部の流入口１３ｂがレスト２５ａに仮接続されて保持されている。
【００５４】
流入ホース１３の先端部には、カプラー、ニップル、その他の管路部材などの流入口１３ｂが設けられている。
【００５５】
流出ホース１４は、一端部が上に述べたようにティー２１３ｂに接続され、ホースハンガー２６ａ〜ｄを利用して巻き付けて保持され、他端部の流出口１４ｂがレスト２５ｂに仮接続されて保持されている。
【００５６】
流出ホース１４の先端部には、カプラー、ニップル、その他の管路部材などの流出口１４ｂが設けられている。
【００５７】
これら流入ホース１３および流出ホース１４は、その使用に際しては、流入口１３ｂおよび流出口１４ｂをレスト２５ａ，２５ｂから取り外し、ポンプＰＥまたは液体タンクＥＴに接続する。
【００５８】
流入ホース１３および流出ホース１４は、不使用時にはホースハンガー２６ａ〜ｄに巻き付けられレスト２５ａ，２５ｂに保持されているため、内部に液体が残留している場合でもその液体が不測に流出することが防止される。
【００５９】
また、フレーム１１のスタンド部２２には、左右に、ポンプ装置１７を着脱可能に取り付けるための取り付け部１５ａ，１５ｂが設けられている。ポンプ装置１７については後で説明する。
【００６０】
上に述べた濾過装置１の流体回路図が図１０に示されている。
【００６１】
図１０において、流入ホース１３はポンプ装置１７の流出口５２ａに接続され、流出ホース１４は液体ＭＬを液体タンクＥＴに戻すように接続される。ポンプ装置１７の流入口である流入ホース５３は、液体タンクＥＴの液体ＭＬの中に浸るように接続される。
【００６２】
濾過装置１を使用姿勢ＳＳとした状態で、モータＭの駆動によってポンプＰＥが回転することにより、液体タンクＥＴの中の液体ＭＬが流入ホース５３を介して吸い出され、濾過装置１のフィルターユニット群１２を通過して濾過され後、流出ホース１４を介して液体タンクＥＴに戻る。
【００６３】
濾過装置１を適当な時間運転することにより、液体タンクＥＴの液体ＭＬは濾過され、不純物などが除去される。
【００６４】
液体ＭＬの濾過を終えた後で、濾過装置１を後処理姿勢ＡＳとし、かつ液体タンクＥＴの液体ＭＬの液面よりも高い位置とすることにより、各フィルターユニット３１〜３４のフィルターケース４２、直線部２１ａ，２１ｂ、流入ホース１３、流出ホース１４、その他の配管部材などの内部に溜まっている液体ＭＬを容易に排出して液体タンクＥＴに戻すことができる。
【００６５】
使用姿勢ＳＳと後処理姿勢ＡＳとの姿勢変更は、作業者がハンドル部２３を持ち、キャスター１６を中心としてフレーム１１を倒す方向に回動させればよいので、極めて容易である。
【００６６】
濾過装置１のフレーム１１はパイプなどによって構成され、しかも配管部材を兼ねているので、全体が軽量である。また、同じメッシュの対のフィルターユニット３１，３２および３３，３４を、それぞれ並列接続して使用しているので、軽量である。
【００６７】
このように、濾過装置１は軽量化が図られているので、移動が容易であって、液体タンクＥＴが設置された現場への搬入およびそこからの搬出が容易である。
〔濾過装置の他の実施形態〕
次に、他の実施形態の濾過装置１Ｂ〜１Ｄについて説明する。
【００６８】
図４（Ａ）（Ｃ）に示す濾過装置１Ｂは、２つのフィルターユニット３３，３４が並列接続で設けられている。つまり、濾過装置１Ｂは、１段のフィルターである。濾過装置１ｂにおいてはフィルターユニット３１，３２が省略された代わりに、ポンプ装置１７においてポンプＰＥの吸入側に粗いメッシュのプリフィルター５１Ｂが設けられる。  
【００６９】
図４（Ｂ）に示す濾過装置１Ｃは、２組の２つのフィルターユニット３１，３２および３３，３４の並列接続体が互いに直列に接続されている。つまり、濾過装置１Ｃは、２段のフィルターであり、図１〜図３に示す濾過装置１と同じ構成である。
【００７０】
なお、濾過装置１Ｃにおいては、ポンプ装置１７においてポンプＰＥの吸入側に極めて粗いメッシュのプリフィルター５１Ｃが設けられる。
【００７１】
図５（Ａ）（Ｂ）に示す濾過装置１Ｄでは、直線部２１Ｄａ，２１Ｄｂの内部が、それぞれ中間において流体的に仕切られている。直線部２１Ｄａと直線部２１Ｄｂとの間に、仕切られたそれぞれの側に、１段目のフィルターユニット３１，３２および２段目の３３，３４が接続されている。
【００７２】
そして、それぞれ仕切られた両側に、接続口２１６ａ〜ｄが設けられ、接続口２１６ａ，ｂ，ｃ，ｄに、流入ホース１３、流出ホース１４、中間ホース５４、５５が接続される。
【００７３】
濾過装置１Ｄでは、流入ホース１３か流入する液体ＭＬは、フィルターユニット３１，３２により濾過され、中間ホース５４、ポンプＰＥ、および中間ホース５５を通過し、フィルターユニット３３，３４によってさらに濾過される。
【００７４】
つまり、濾過装置１Ｄにおいても、濾過装置１および濾過装置１Ｃと同様に２段のフィルターとなっている。
【００７５】
これらの濾過装置１Ｂ〜１Ｄにおいても、図４および図５に示した使用姿勢ＳＳと、垂直部分ＴＢおよびキャスター１６が床面ＦＬに接することにより、フレーム１１がその姿勢を維持することが可能である。
〔ポンプ装置〕
次に、ポンプ装置１７および取り付け部１５について説明する。
【００７６】
図６にはポンプ装置１７を備えた濾過装置１が、図７にはポンプ装置１７の正面図および側面図が、図８および図９には取り付け部１５が、それぞれ示されている。
【００７７】
図６に示されるように、ポンプ装置１７は、濾過装置１に２つの取り付け部１５ａ，１５ｂを利用して取り付けられている。
【００７８】
図７において、ポンプ装置１７は、ケ−ス６１の内部に、モータＭ、および、モータＭに直結されたポンプＰＥが配置されている。ポンプＰＥの流出口および流入口には、流入ホース１３または５３を接続するためのソケット５２ａ，５２ｂが取り付けられる。ケ−ス６１の上部に、取っ手６２および制御部６３が取り付けられる。
【００７９】
ケ−ス６１の両側の外側には、ポンプ装置１７を取り付け部１５に装着するための、金属などからなる板状のブラケット６４ａ，６４ｂが取り付けられる。
【００８０】
取り付け部１５ａ，１５ｂについて説明するが、これら対称的な構造であるので、一方のみについて説明する。
【００８１】
図８および図９も参照して、取り付け部１５ｂは、２つの把持ブロック７１，７２が、スタンド部２２の直線部２２１ｂを挟んだ状態でボルトで互いに締結され、スタンド部２２に取り付けられている。把持ブロック７２には、さらに取り付けブロック７３が、ボルトによって固定される。
【００８２】
取り付けブロック７３には、これと対向する位置に、固定ブロック７４が、取り付けブロック７３に対して接離方向に移動可能に設けられている。固定ブロック７４の移動可能範囲は、取り付けブロック７３にネジ込まれた軸ボルト７５ａ，７５ｂによって規制されている。
【００８３】
また、把持ブロック７１，７２、取り付けブロック７３、および固定ブロック７４を貫通して、締め付けボルト７６が設けられ、ノブ７６ａによって締め付けボルト７６を回転させて固定ブロック７４を取り付けブロック７３の側に引き寄せることができるようになっている。締め付けボルト７６の外周には、把持ブロック７２と固定ブロック７４との間を引き離す方向に付勢する圧縮バネ７７が装着されている。
【００８４】
固定ブロック７４には、その側面の一部に取り付けブロック７３の側に突出する凸部７４ａが設けられる。
【００８５】
ポンプ装置１７のブラケット６４ｂには、その先端縁に２つの係合部６４１，６４２が設けられ、これら係合部６４１，６４２の間は係止用凹部６４３となっている。
【００８６】
ノブ７６ａを緩めて取り付けブロック７３と固定ブロック７４との間隔をあけた状態で、ブラケット６４ａ，ｂをその間に挿入し、２つの係合部６４１，６４２を軸ボルト７５ａ，７５ｂに引っ掛ける。その状態で、ノブ７６ａを締めて固定ブロック７４を取り付けブロック７３の方へ引き寄せると、凸部７４ａが係止用凹部６４３に嵌まり込み、これによってブラケット６４ａ，ｂは取り付け部１５から抜け出なくなる。ノブ７６ａを強く締めることにより、ブラケット６４ａ，ｂは取り付けブロック７３と固定ブロック７４とにより挟まれて固定される。
【００８７】
このように、ポンプ装置１７は、濾過装置１に対して容易に着脱が可能となっている。したがって、例えば、濾過装置１を現場に搬入する際には、ポンプ装置１７を濾過装置１から取り外して軽くした状態とし、現場においてポンプ装置１７を濾過装置１に取り付ければよい。
【００８８】
上に述べた実施形態において、フィルターユニット群１２の構成、フィルターユニットの個数、接続方法、およびメッシュの値などは、上に述べた以外に種々変更することができる。
【００８９】
その他、フレーム１１、フィルターユニット群１２、フィルターユニット３１〜３４、流入ホース１３、流出ホース１４、取り付け部１５、キャスター１６、ポンプ装置１７、および濾過装置１，１Ｂ〜１Ｄの各部または全体の構成、構造、回路、形状、個数、配置などは、本発明の主旨に沿って適宜変更することができる。
【符号の説明】
【００９０】
１，１Ｂ〜１Ｄ  濾過装置
１１  フレーム
１２  フィルターユニット群
１３  流入ホース（流入口）
１３ｂ  流入口
１４  流出ホース（流出口）
１４ｂ  流出口
１５  取り付け部
１６  キャスター
１７  ポンプ装置
２１  本体部
２１ａ，２１ｂ  直線部
２２  スタンド部
２３  ハンドル部（ハンドル）
４１  フィルターエレメント
４２  フィルターケース
４３  接続ブロック
ＰＥ  ポンプ
ＭＬ  液体
ＥＴ  液体タンク
ＴＢ  垂直部分
ＨＢ  水平部分
ＰＮ  流入ポート
ＰＳ  流出ポート
ＳＳ  使用姿勢
ＡＳ  後処理姿勢
【図１】
0005687241.tif 000002
【図２】
0005687241.tif 000003
【図３】
0005687241.tif 000004
【図４】
0005687241.tif 000005
【図５】
0005687241.tif 000006
【図６】
0005687241.tif 000007
【図７】
0005687241.tif 000008
【図８】
0005687241.tif 000009
【図９】
0005687241.tif 000010
【図１０】
0005687241.tif 000011